(57)【要約】【課題】麻酔チャートと、２次元グラフとの相関比較を容易に行うことができる医療用画像表示方法を提供すること。【解決手段】本発明の医療用画像表示方法は、麻酔チャートを形成するステップと、同一時点の２つのパラメータの数値をそれぞれ縦軸成分及び横軸成分として有する１つの点にプロットする処理を複数時点について行うことで、複数の点を有する２次元グラフを形成するステップと、前記麻酔記録チャートの時間軸の位置と、それに対応する前記２次元グラフのプロット位置とを識別可能に表示することにより、前記麻酔記録チャートと前記２次元グラフを関連付け表示するステップと、を含む。【選択図】図２
2020077175.tif 000002
【特許請求の範囲】
【請求項１】
麻酔チャートを形成するステップと、
同一時点の２つのパラメータの数値をそれぞれ縦軸成分及び横軸成分として有する１つの点にプロットする処理を複数時点について行うことで、複数の点を有する２次元グラフを形成するステップと、
前記麻酔チャートの時間軸の位置と、それに対応する前記２次元グラフのプロット位置とを識別可能に表示することにより、前記麻酔チャートと前記２次元グラフを関連付け表示するステップと、
を含む医療用画像表示方法。
【請求項２】
前記麻酔チャートの時間軸を色分けして表示するとともに、前記２次元グラフを前記麻酔チャートの色分けと対応付けて色分けして表示する、
請求項１に記載の医療用画像表示方法。
【請求項３】
前記麻酔チャート又は前記２次元グラフのいずれか一方のある時点の位置がユーザーによって指定された場合、それに対応する前記２次元グラフ又は前記麻酔チャートの時点の位置を強調表示する、
請求項１又は２に記載の医療用画像表示方法。
【請求項４】
前記麻酔チャートで表示される時間範囲と、前記２次元グラフで表示される時間範囲が連動して変わるように、前記麻酔チャートと前記２次元グラフとを表示する、
請求項１から３のいずれか一項に記載の医療用画像表示方法。
【請求項５】
前記２次元グラフの元になる前記２つのパラメータの抽出時点を動的に遷移させることにより、前記２次元グラフの前記複数の点を動的に遷移させる、
請求項１から４のいずれか一項に記載の医療用画像表示方法。
【請求項６】
コンピュータに、
麻酔チャートを形成する処理と、
同一時点の２つのパラメータの数値をそれぞれ縦軸成分及び横軸成分として有する１つの点にプロットする処理を複数時点について行うことで、複数の点を有する２次元グラフを形成する処理と、
前記麻酔チャートの時間軸の位置と、それに対応する前記２次元グラフのプロット位置とを識別可能に表示することにより、前記麻酔チャートと前記２次元グラフを関連付け表示する処理と、
を実行させるプログラム。
【発明の詳細な説明】
【技術分野】
【０００１】
本発明は、例えば麻酔チャートを含む医療用画像を形成して表示する医療用画像表示方法及びプログラムに関する。
【背景技術】
【０００２】
手術室やＩＣＵ（Intensive Care Unit）等において麻酔を用いた医療行為を行う際には、一般に自動麻酔記録装置が用いられる。自動麻酔記録装置は、麻酔情報と患者のバイタル情報の時間的な経過を表す麻酔チャートを形成し、これを表示及び記録する。麻酔情報とは、例えば麻酔器の酸素流量、笑気流量及び空気流量等である。バイタル情報とは、例えば心拍数、体温、血圧値、酸素飽和度等である。医師等の医療従事者はこの麻酔チャートを見ることにより麻酔と患者の状態との関係を把握できるようになり、安全な麻酔投与を実行できるようになる。
【０００３】
一方で、２つのバイタルデータを２次元表示するバイタルデータの表示方法が、特許文献１、２等に開示されている。このバイタルデータの２次元表示では、第１のバイタルデータをｘ軸に対応させるとともに第２のバイタルデータをｙ軸に対応させ、各時点の第１及び第２のバイタルデータに対応するｘｙ平面上の点をプロットしていく。このバイタルデータの２次元表示によれば、バイタルデータの変化を容易に把握でき、その変化を視覚的又は直感的に判断することができるようになる。
【先行技術文献】
【特許文献】
【０００４】
【特許文献１】特開２００９−２１９８２９号公報
【特許文献２】特開２０１７−８６１６２号公報
【発明の概要】
【発明が解決しようとする課題】
【０００５】
ところで、麻酔チャートと、バイタルデータの２次元表示とを組み合わせて表示する場合、麻酔記録チャートは横軸を時間軸とした経時的表示であるのに対して、２次元表示は各点が時点を表す表示形式であるため、両者の関係を比較し難い。
【０００６】
本発明は、以上の点を考慮してなされたものであり、麻酔チャートと、２次元グラフとの相関比較を容易に行うことができる医療用画像表示方法及びプログラムを提供する。
【課題を解決するための手段】
【０００７】
本発明の医療用画像表示方法の一つの態様は、
麻酔チャートを形成するステップと、
同一時点の２つのパラメータの数値をそれぞれ縦軸成分及び横軸成分として有する１つの点にプロットする処理を複数時点について行うことで、複数の点を有する２次元グラフを形成するステップと、
前記麻酔チャートの時間軸の位置と、それに対応する前記２次元グラフのプロット位置とを識別可能に表示することにより、前記麻酔チャートと前記２次元グラフを関連付け表示するステップと、
を含む。
【発明の効果】
【０００８】
本発明によれば、麻酔チャートの時間軸の位置とそれに対応する２次元グラフのプロット位置とが識別可能に表示されるので、麻酔チャートと２次元グラフの相関比較を容易に行うことができるようになる。
【図面の簡単な説明】
【０００９】
【図１】実施の形態に係る医療用画像表示方法が適用される病院情報システムの概要を示す図
【図２】実施の形態の医療用画像の例を示す図
【図３】他の実施の形態の医療用画像の例を示す図
【図４】図４Ａ−図４Ｄは２次元グラフを時間経過に従って動的に変更する例を示す図
【発明を実施するための形態】
【００１０】
以下、本発明の実施の形態を、図面を参照して説明する。
【００１１】
＜システム構成＞
図１は、本発明の実施の形態に係る医療用画像表示方法が適用される病院情報システム（hospital information system; HIS）の概要を示す図である。図１の病院情報システムは、電子カルテシステムを上位システムとして、医事会計システム、放射線システム、中央検査システム、オーダリングシステム、物流管理システム及び急性期部門システム１がオンライン接続されている。
【００１２】
急性期部門システム１はデータベースサーバー１００を有する。データベースサーバー１００は、データ交換器としてのゲートウェイサーバー１０１を介して上述の電子カルテシステムやオーダリングシステム等の病院情報システムに含まれる他のシステムと通信可能に接続されている。
【００１３】
データベースサーバー１００は、手術室や、集中治療室（ＩＣＵ (Intensive Care Unit)）、救命救急室（ＥＲ (emergency room)）のデータを一元管理する。なお、以下では集中治療室及び救命救急室を、集中治療室又はＩＣＵ−ＥＲと略記する。
【００１４】
手術室には、麻酔器２００や生体情報モニター２１０が設けられており、これらが変換モジュール２２０を介してデータベースサーバー１００にオンライン接続されている。ＩＣＵ−ＥＲには、図示しない人工呼吸器、大動脈バルーンポンプ及び生体情報モニター等が設けられており、これらが図示しない変換モジュールを介してデータベースサーバー１００にオンライン接続されている。
【００１５】
データベースサーバー１００は、手術室やＩＣＵ−ＥＲに設けられた麻酔器２００、生体情報モニター２１０、人工呼吸器（図示せず）、血液ガス分析装置（図示せず）等のデータをオンラインで収集して一元管理する。また、データベースサーバー１００は、ゲートウェイサーバー１０１を介して電子カルテシステムやオーダリングシステム、中央検査システム等から患者属性や各種検査データ、薬剤オーダー、手術オーダー等のデータを取得可能となっている。さらには、急性期部門システム１からのデータを病院情報システムに含まれる他のシステムに送信することも可能となっている。
【００１６】
データベースサーバー１００は、術前の手術予約から、スケジューリング、術後の麻酔記録サマリまで、周術期を一元管理できる。
【００１７】
また、データベースサーバー１００には、手術室の端末１０３やＩＣＵ−ＥＲの端末１０４が接続されている。端末１０３、１０４はデータベースサーバー１００からのデータを受け取って、麻酔チャート及び２次元グラフを作成する機能を有する。具体的には、端末１０３、１０４は、ＲＯＭ(Read Only Memory)、ＲＡＭ(Random Access Memory)、ＣＰＵ(Central Processing Unit)等を有し、ＣＰＵがＲＯＭに保持されたプログラムを実行することにより、麻酔チャート及び２次元グラフを形成しこれを表示する。
【００１８】
具体的には、端末１０３、１０４は、各種オンラインデータ、入室からのプロセスイベント、麻酔器情報、バイタル情報、薬剤情報、輸液情報等の情報をデータベースサーバー１００から受け取り、この情報に基づいて麻酔チャートを形成し表示する。さらに、端末１０３、１０４は、麻酔チャートに麻酔開始／終了等の情報を登録可能となっている。
【００１９】
また、端末１０３、１０４は、同一時点の２つのパラメータの数値をそれぞれ縦軸成分及び横軸成分として有する１つの点にプロットする処理を複数時点について行うことで、複数の点を有する２次元グラフを形成する。
【００２０】
そして、端末１０３、１０４は、麻酔チャートと２次元グラフとを含む医療用画像を表示部に表示する。
【００２１】
また、端末１０３、１０４によって形成された麻酔記録チャート及び２次元グラフは、データベースサーバー１００によって記録される。また、この麻酔記録チャート及び２次元グラフは、Ｗｅｂサーバー１０２を介して院内又は外部の端末で参照することもできるようになっている。
【００２２】
＜実施の形態による医療用画像の表示＞
次に、図２を用いて、本実施の形態により形成され表示される医療用画像について説明する。
【００２３】
図２は、本実施の形態の医療用画像の例である。医療用画像３０は、端末１０３、１０４によって形成され表示される。医療用画像３０には、麻酔チャート表示領域１０と、２次元グラフ表示領域２０とが含まれる。
【００２４】
本実施の形態の麻酔チャート１０には、患者情報領域１１、麻酔器情報領域１２、バイタルグラフ領域１３、薬剤領域１４、輸液領域１５、機器データ領域１６、イベントアイコン領域１７、バランス領域１８が含まれる。
【００２５】
バイタルグラフ領域１３には、手術や処置を受けている患者のバイタルグラフが表示される。麻酔器情報領域１２、薬剤領域１４及び輸液領域１５には、ガントチャート及び数字によって、それぞれ経時的な、麻酔器の状態、薬剤の投与状態、輸液の投与情報が表示される。機器データ領域１６、イベントアイコン領域１７、バランス領域１８には、数字や記号によって、それぞれ経時的な、機器データ、イベントの有無や開始／終了等、ＩＮ／ＯＵＴバランスが表示される。
【００２６】
２次元グラフ表示領域２０には、同一時点の２つのパラメータの数値をそれぞれ縦軸成分及び横軸成分として有する１つの点にプロットする処理を複数時点について行うことで、複数の点を有する２次元グラフが表示される。この種の２次元グラフについては例えば特許文献１、２等に記載されている。以下では、横軸成分とされる数値を項目１とし、縦軸成分とされる数値を項目２として説明する。項目１と項目２の組み合わせとしては、（項目１，項目２）＝（心拍，血圧）、（ＳＶＩ（Stroke Volume Index），ＳＶＲＩ（Systemic Vascular Resistance Index））、（バイタルデータ中のＥｔＣＯ２，麻酔器により実測された酸素濃度）、又は（室温，体温）等が考えられる。なお、項目１と項目２の組み合わせは、これらに限らない。
【００２７】
これに加えて、本実施の形態においては、麻酔チャートの時間軸の位置と、それに対応する２次元グラフの位置とを識別可能に表示することにより、麻酔チャートと２次元グラフを関連付け表示するようになっている。
【００２８】
具体例として、本実施の形態においては、麻酔チャートの時間軸を色分けして表示するとともに、２次元グラフを麻酔チャートの色分けと対応付けて色分けして表示する。図２の例で説明すると、麻酔チャートの時間方向には複数の丸印が表示され、各丸印の色は時間に応じて異なる色とされている。図２では便宜上、各丸印を異なる網掛け模様で示してある。また、２次元グラフの各点は、時間に応じて異なる色とされている。麻酔チャートの時間方向の色と、２次元グラフにおける各点の色は、同一時点では同一の色とされている。
【００２９】
これにより、医療従事者は、麻酔チャートの時間軸の位置とそれに対応する２次元グラフのプロット位置とを一目で把握できるようになる。例えば、医療従事者は、図２の両方向矢印で示したように、２次元グラフ上のある点が、麻酔チャートにおける１０：００〜１０：１５の期間のデータと同一時点の点であることを容易に認識できる。
【００３０】
＜効果＞
以上説明したように、本実施の形態によれば、麻酔チャートの時間軸の位置と、それに対応する２次元グラフのプロット位置とを識別可能に表示することにより、麻酔チャートと２次元グラフを関連付け表示するようにした。これにより、麻酔チャートと２次元グラフとの相関比較を容易に行うことができるようになる。
【００３１】
つまり、医療従事者は、２次元グラフ上の各点が、麻酔チャートにおけるどの時点のデータから作られた点であることを容易に認識できるようになる。この結果、麻酔チャートにおける各データの時間的推移と、２次元グラフで表現されたパラメータの時間的推移とを、関連付けながら比較し易くなる。
【００３２】
＜他の実施の形態＞
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することの無い範囲で、様々な形で実施することができる。
【００３３】
例えば、麻酔チャート又は２次元グラフのいずれか一方のある時点の位置が医療従事者によって指定された場合、それに対応する２次元グラフ又は麻酔チャートの時点の位置を強調表示するようにしてもよい。このようにすれば、医療従事者が着目したい２次元グラフ上の点と麻酔チャート上のデータとの関係をより把握し易くなる。
【００３４】
図３を用いて具体的に説明する。医療従事者は、端末１０３、１０４のマウスやキーボード等を用いて２次元グラフ上の所望の点にポインターを移動させてマウスやキーボードを押下することにより、当該２次元グラフ上の所望の点を指定する。すると、端末１０３、１０４は、当該指定された２次元グラフ上の点に対応する麻酔チャートの背景色を変更することにより、指定された２次元グラフ上の点に対応する麻酔チャートの期間を強調表示する。逆に、先に、麻酔チャート上のある時間が指定された場合には、その時間に対応する２次元グラフ上の点を強調表示するようにしてもよい。この強調表示は、例えば２次元グラフ上の点を補助線（例えば丸）で囲むようにすればよい。なお、補助線で囲まれる２次元上の点は１つに限らず、例えば麻酔チャートで指定された時間範囲が長い場合には２つ以上の点を補助線で囲むなどの強調表示をしてもよい。
【００３５】
また、麻酔チャートで表示される時間範囲と、２次元グラフで表示される時間範囲が連動して変わるように、麻酔チャートと２次元グラフとを表示することが好ましい。例えば図２の例では、９：００〜１０：３０の期間の麻酔チャートが表示されているので、それに対応する時間の２次元グラフが形成及び表示されているが、医療従事者によって或いは自動的に麻酔チャートで表示される時間範囲が変更された場合、これに連動して２次元グラフで表示される時間範囲も変更される。具体的には、麻酔チャートに表示される時間範囲が例えば１０：００〜１１：３０の期間に変更された場合、これに連動して２次元グラフの各点も１０：００〜１１：３０の麻酔チャートに含まれるデータに基づく点とすればよい。
【００３６】
このように、麻酔チャートと２次元グラフとが連動するように表示することにより、換言すれば、麻酔チャートの時間と２次元グラフの時間とがリンクするように表示することにより、例えば、麻酔チャート或いは２次元グラフのいずれか一方の表示時間範囲を変更した際に、他方の表示時間範囲もそれに連動して変更されるので、人為的ミス（時間軸がずれていた等）を防ぐことができる。また、必ず対応した期間の麻酔チャートと２次元グラフとが表示されるようになるので、それらの相関比較をより容易に行うことができるようになる。
【００３７】
また、上述の実施の形態に加えて、２次元グラフを時間経過に従って動的に変更してもよい。その様子を、図４に示す。図４Ａに示したように医療従事者によって再生ボタンが押下操作されると、２次元グラフは、時間経過に従って図４Ａ→図４Ｂ→図４Ｃ→図４Ｄの順で順次変更される。このような２次元グラフの特徴は、２次元グラフを構成する点の数は変えずに、各点を形成するためのデータを時間経過に従って変えていることである。換言すれば、２次元グラフの元になる２つのパラメータの抽出時点を動的に遷移させることにより、２次元グラフの複数の点を動的に遷移させる。これにより、２次元グラフを複雑化することなく、広い時間範囲の２次元グラフの変化を動的に把握できるようになる。
【００３８】
また、上述の実施の形態では、２次元グラフにおいて、色づけした各点の間を直線で繋いでいるが、直線で繋がなくてもよい。実際上、急性期部門システム１は各点の間のデータも持っているので、色づけした各点の間に、その間の時点のパラメータに対応する点をプロットしてもよい。
【００３９】
また、上述の実施の形態では、麻酔チャートの時間方向の色と、２次元グラフにおける各点の色とを、同一時点では同一の色とすることにより、麻酔チャートの時間軸の位置と、それに対応する２次元グラフの位置とを識別可能とした場合について述べたが、本発明はこれに限らず、例えば麻酔チャートの時間方向の模様と、２次元グラフにおける各点の模様とを、同一時点では同一の模様としてもよい。要は、麻酔チャートの時間軸の位置と、それに対応する２次元グラフのプロット位置とを識別可能に表示すればよい。
【００４０】
また、２次元グラフに表示される点は必ずしも麻酔チャートに表示されているデータに基づくものでなくてもよいが、２次元グラフに表示される点が麻酔チャートに表示されているデータに基づくものであれば、麻酔チャートと２次元グラフとの相関比較をより詳しく行うことができるようになる。
【００４１】
上述の実施の形態では、本発明による医療用画像の作成及び表示処理を、端末１０３、１０４によって行う場合について述べたが、本発明はこれに限らず、例えば医療用画像３０の作成処理をデータベースサーバー１００によって行い、作成された医療用画像３０の表示処理を端末１０３、１０４等で行うようにしてもよい。
【００４２】
上述の実施の形態では、麻酔チャートと２次元グラフとを１画面に表示する例について説明したが、本発明は麻酔チャートと２次元グラフとを別画面に表示する場合でも有用である。
【産業上の利用可能性】
【００４３】
本発明は、麻酔チャート及び２次元グラフを表示する装置、及びそれらを表示させるためのプログラムとして有用である。
【符号の説明】
【００４４】
１  急性期部門システム
１０  麻酔チャート
１２  麻酔器情報領域
１３  バイタルグラフ領域
１４  薬剤領域
１５  輸液領域
２０  ２次元グラフ表示領域
３０  医療用画像
１００  データベースサーバー
１０１  ゲートウェイサーバー
１０２  Ｗｅｂサーバー
１０３、１０４  端末
２００  麻酔器
２１０  生体情報モニター
２２０  変換モジュール
【図１】
2020077175.tif 000003
【図２】
2020077175.tif 000004
【図３】
2020077175.tif 000005
【図４】
2020077175.tif 000006